(57)【要約】【課題】必要な精度を保持する一方、制限されたデータ量を用いて放射線治療システムの放射線量分布の計算を可能とする下述のような方法及び装置を提供すること。【解決手段】放射線治療システムの放射線ビームが異なる深度において特定のビームフィールドサイズ及び形状を呈する動物体の放射線治療のための放射線治療システムの放射線量分布を計算する方法と、放射線治療システムの放射線ビームが異なる深度において特定のビームフィールドサイズ及び形状を呈する動物体の放射線治療のための放射線治療システムの放射線量分布を計算する装置とに関する。本発明による方法は、ｉ）使用中の前記放射線ビームを表現する少なくとも１つのビーム品質指数を決定する工程と、ｉｉ）前記少なくとも１つのビーム品質指数に基づいてパラメータ化した線量沈着カーネルを用いて前記特定ビームフィールドに於ける前記放射線量分布を計算する工程とを特徴とする。【選択図】なし【特許請求の範囲】
【請求項１】
動物体の放射線治療のための放射線治療システムの放射線量分布を計算する方法において、前記放射線治療システムの放射線ビームが異なる深度において特定のビームフィールドサイズ及び形状を呈し、
ｉ）  使用中の前記放射線ビームを表現する少なくとも１つのビーム品質指数を決定する工程と、
ｉｉ）  前記少なくとも１つのビーム品質指数に基づいてパラメータ化した線量沈着カーネルを用いて前記特定ビームフィールドに於ける前記放射線量分布を計算する工程とを特徴とする方法。
【請求項２】
ｉｉｉ）  異なる装置に対して、
ａ）  異なる深度および異なるエネルギーに於ける、異なるフィールド形状及びサイズに対する測定ファントム線量データと、
ｂ）  算出線量沈着カーネルパラメータと、
ｃ）  対応フィールドサイズに対するファントム散乱係数に変換可能な測定ヘッド散乱係数及び出力係数とからなる、事前に収集した測定放射線ビームデータを使用する工程と、
ｉｖ）  工程ｉｉｉ）によって事前に収集した測定放射線ビームデータを用いて工程ｉ）によって前記少なくとも１つのビーム品質指数を決定する工程と、
ｖ）  線量沈着カーネルパラメータを、決定された前記１つ或いは少数のビーム品質指数に関連づける工程とを更なる特徴とする請求項１に記載の方法。
【請求項３】
ｖｉ）  モンテカルロシミュレーションを用いて工程ｉｉｉ）によって前記測定データをシミュレートする工程を更なる特徴とする請求項１に記載の方法。
【請求項４】
前記少なくとも１つのビーム品質指数は、ｄ１＝２０ｃｍ及びｄ２＝１０ｃｍの深度（ＴＰＲ２０，１０）で測定した組織ファントム比（ＴＰＲ）間の比によって決定されることを更なる特徴とする請求項１ないし３のいずれか１つに記載の方法。
【請求項５】
前記少なくとも１つのビーム品質指数は、ｄ３＝１０ｃｍ（ＰＤＤ１０）に於ける百分率深度線量（ＰＤＤ）によって決定されることを更なる特徴とする請求項１ないし４のいずれか１つに記載の方法。
【請求項６】
線量沈着カーネルがペンシル線量沈着カーネルであることを更なる特徴とする請求項２ないし５のいずれか１つに記載の方法。
【請求項７】
線量沈着カーネルが点線量沈着カーネルであることを更なる特徴とする請求項２ないし５のいずれか１つに記載の方法。
【請求項８】
放射線ビームの中心軸に於けるエネルギーフルエンス当たりの線量は、
【数１】
2006175239.tif 000010
及び、
【数２】
2006175239.tif 000011
で決定され、パラメータは、
【数３】
2006175239.tif 000012
及び
【数４】
2006175239.tif 000013
及び
【数５】
2006175239.tif 000014
で定義され、このとき、
【数６】
2006175239.tif 000015
であることを特徴とする請求項１ないし８のいずれか１つに記載の方法。
【請求項９】
パラメータは、次式を用いてＴＰＲ（ｄ１，ｄ２）（ＴＰＲ２０，１０）の関数であるμで表現されることを特徴とする請求項８に記載の方法。
【数７】
2006175239.tif 000016
及び、
【数８】
2006175239.tif 000017
【請求項１０】
動物体の放射線治療のための放射線治療システムの放射線量分布を計算する装置において、前記放射線治療システムの放射線ビームが異なる深度において特定のビームフィールドサイズ及び形状を呈し、使用中の前記放射線ビームを表現する少なくとも１つのビーム品質指数を計算手段に入力するように構成された入力手段と、前記少なくとも１つのビーム品質指数に基づいてパラメータ化した線量沈着カーネルを用いて前記放射線量分布を計算するように構成された前記計算手段とを更に有することを特徴とする装置。
【請求項１１】
モニターユニット（ＭＵ）検査装置であることを特徴とする請求項１０に記載の装置。
【請求項１２】
ＩＭＲＴ治療ＭＵ検査装置であることを特徴とする請求項１０に記載の装置。
【発明の詳細な説明】
【技術分野】
【０００１】
本発明は、放射線治療システムの放射線ビームが異なる深度において特定のビームフィールドサイズ及び形状を呈する、動物体の放射線治療のための放射線治療システムの放射線量分布を計算する方法に関する。
【０００２】
また、本発明は、放射線治療システムの放射線ビームが異なる深度において特定のビームフィールドサイズ及び形状を呈する、動物体の放射線治療のための放射線治療システムの放射線量分布を計算する装置に関する。
【背景技術】
【０００３】
放射線治療のための放射線量分布の計算精度は、ここ数十年でかなり改善してきた。臨床医の手作業による単純因子計算から市販治療計画システムに組み込まれた高度アルゴリズムを用いた計算へと発展してきた。現在の臨床上の問題は、線量分布計算にあるというよりも、むしろ治療計画システムの結果検証方法の方にある。
【０００４】
治療計画システムで使用されるソフトウェアに於ける誤差の危険は、アルゴリズム及びそのアプリケーションの複雑さに応じて増加する。プログラミングコードに於けるバグやユーザーによるエラーが存在し得る。結果の独立検査が望ましく、必要である。また、治療計画システムの精度改善に従い、検証機構もより小さい誤差を見つけなければならない。
【０００５】
検査すべき治療パラメータのうち最も重要なパラメータは、目標線量を与えるための、フィールド（セグメント）当たりに割り当てられるモニターユニット（Ｍ）数である。特定線量に対するＭ数の検証は、水等価ファントム形状を用いて行うことができ、測定値テーブルやモデルや組み合わせに基づくことができる。Ｍ数計算手順に於ける基本パラメータは、ターゲットに対するＭ当たりの線量と基準形状に対するＭ当たりの線量との関係である。この関係は、深度推移、フィールドサイズ及び形状の変化、ウェッジ、及び、ブロックなどのフィールド及びブロックホルダに於ける対象物を含むことができる。
【０００６】
特にＭ数は、例えば、推移数が組織ファントム比（Ｔ）、ヘッド散乱係数（Ｓｃ）、ファントム散乱係数（Ｓｐ）などの因子にマップされた、因子系モデルを用いて計算可能である。これらの因子はフィールド設定の関数として作表可能であるが、通常用いられる不規則形状フィールドでは、大きな変動性に対して実際的に対処せねばならない。検査を一般的なフィールド形状に対して適用可能とするには、ある種の散乱積分を用いる必要がある。
【発明の開示】
【発明が解決しようとする課題】
【０００７】
本発明の目的は、必要な精度を保持する一方、限られたデータ量を用いて放射線治療システムの放射線量分布の計算を可能とする上述のような方法及び装置を提供することである。
【課題を解決するための手段】
【０００８】
本発明によれば、その方法は、
ｉ）  使用中の前記放射線ビームを表現する少なくとも１つのビーム品質指数を決定する工程と、
ｉｉ）  前記少なくとも１つのビーム品質指数に基づいてパラメータ化した線量沈着カーネルを用いて前記特定ビームフィールドに於ける前記放射線量分布を計算する工程とを特徴とする。
【０００９】
本発明の他の様相によれば、前記方法は、
ｉｉｉ）  異なる装置に対して、
ａ）  異なる深度および異なるエネルギーに於ける、異なるフィールド形状及びサイズに対する測定ファントム線量データと、
ｂ）  算出線量沈着カーネルパラメータと、
ｃ）  対応フィールドサイズに対するファントム散乱係数に変換可能な測定ヘッド散乱係数及び出力係数とからなる、事前に収集した測定放射線ビームデータを使用する工程と、
ｉｖ）  工程ｉｉｉ）によって事前に収集した測定放射線ビームデータを用いて工程ｉ）によって前記少なくとも１つのビーム品質指数を決定する工程と、
ｖ）  線量沈着カーネルパラメータを、決定された前記１つ或いは少数のビーム品質指数に関連づける工程とを更なる特徴とする。
【００１０】
更なる実施例によれば、本発明の方法は、ｖｉ）モンテカルロシミュレーションを用いて工程ｉｉｉ）によって前記測定データをシミュレートする工程を更なる特徴とする。
【００１１】
更なる実施例では、前記少なくとも１つの品質指数は、ｄ１＝２０ｃｍ及びｄ２＝１０ｃｍの深度（ＴＰＲ２０，１０）で測定した組織ファントム比（ＴＰＲ）間の比によって決定される。
【００１２】
別の実施例では、前記少なくとも１つのビーム品質指数は、ｄ３＝１０ｃｍ（ＰＤＤ１０）に於ける百分率深度線量（ＰＤＤ）によって決定される。
【００１３】
別の有利な実施例では、本発明の方法は、線量沈着カーネルがペンシル線量沈着カーネルであることを特徴とする。
【００１４】
また別の有利な実施例では、本発明の方法は、線量沈着カーネルが点線量沈着カーネルであることを特徴とする。
【００１５】
本発明の装置は、使用中の前記放射線ビームを表現する少なくとも１つのビーム品質指数を計算手段に入力するように構成された入力手段と、前記少なくとも１つのビーム品質指数に基づいてパラメータ化した線量沈着カーネルを用いて前記放射線量分布を計算するように構成された前記計算手段とを更に有することを特徴とする。
【００１６】
好適な一実施例では、前記装置はモニターユニット（ＭＵ）検査装置であり、別の実施例では、前記装置はＩＭＲＴ治療ＭＵ検査装置である。
【発明を実施するための最良の形態】
【００１７】
本発明を付属図面に示す幾つかの例によって説明する。
【００１８】
本発明による方法を実現するため、異なる放射線治療ユニットからのデータが計算モデルを決定するために使用されている。１つの治療ユニット用の各データセットには、４つのフィールドサイズ（５×５ｃｍ２、１０×１０ｃｍ２、１５×１５ｃｍ２、及び２０×２０ｃｍ２）に於ける表面から３５ｃｍの深さまでの深度線量測定値が含まれる。このときの線源表面距離（ＳＳＤ）は全て９０ｃｍである。更に、測定されたヘッド散乱係数及び出力係数も含まれ、これらは、ＳＳＤ＝９０ｃｍでの１０ｃｍ深度に於ける３つのフィールドサイズ（５×５ｃｍ２、１５×１５ｃｍ２、及び２０×２０ｃｍ２）に対するファントム散乱係数に変換可能である。データ収集には、計算されたペンシルビームパラメータも含まれる。
【００１９】
本発明によってデータパラメータ化を導くために、約８００個の放射線治療装置から１０００個以上のデータセットを必要とした。
【００２０】
ＴＰＲ２０，１０の計算は、１０ｃｍ及び２０ｃｍの深度に於ける深度線量値に基づく。放射線は全て同一点（ターゲット）から放出されるものとして、逆二乗訂正を行った。深度２０ｃｍに於ける変更フィールドサイズに対する補正は、１１×１１ｃｍフィールドに対するファントム散乱係数を用いて行った。この値は、５×５ｃｍ２、１０×１０ｃｍ２及び１５×１５ｃｍ２のフィールドサイズに対するファントム散乱係数への２次適合（フィッティング）を用いて計算した。
【００２１】
公知の市販治療計画システムから使用されるペンシルビームモデルは、線量の一次部及び散乱部をカーネル中心軸への距離の関数として記述する４パラメータカーネルに基づく。実際には、当該治療計画システムでは更に３つのパラメータを用いて、モンテカルロデータによって与えられる一次・散乱比を良好に維持し、微小な機器毎のばらつきに対応するように適合結果を微調整する。
【００２２】
単純なモデルを構築するために、本発明の装置で本発明の方法を実現すると、この種の補正は省略される。カーネル中心軸ｒへの距離の関数としてのカーネル値は次式で表される。
【数９】
2006175239.tif 000002
【００２３】
ただし、ｚは計算深度、Ａ、Ｂ、ａ及びｂは深度依存パラメータである。４つのパラメータは、深度線量測定値及び測定ファントム散乱値から得られるエネルギースペクトルを用いたモンテカルロシミュレーションから算出される。一次部と散乱部が分離され、１番目の指数関数が一次部を担当し、２番目の指数関数が散乱部を担当する。
【００２４】
治療計画システムがこのモデルを使用する時、４つのパラメータは、表面下０．０７５ｃｍから４０ｃｍを０．０７５ｃｍ刻みとする深度の関数として作表される。
【００２５】
式（１）で策定したカーネルは、中心軸に於けるエネルギーフルエンス当たりの線量を得るために半径Ｒの円形フィールド上で積分することができる。
【数１０】
2006175239.tif 000003
【００２６】
ただし、エネルギーフルエンスは一定とする。
【００２７】
比２πＡ／ａは明瞭な物理学的意味を持つ。即ち、無限フィールド半径に対するエネルギーフルエンス当たりの線量の一次部を記述する。同様に比２πＢ／ａは無限フィールドに対する散乱部を記述する。従って、深度パラメータ化しようとするときには、パラメータＡ／ａ、Ｂ／ｂ、ａ及びｂを用いて操作する方が、Ａ、Ｂ、ａ及びｂを直接用いて操作するよりも好都合である。
【００２８】
無限フィールドに対する一次部及び散乱部の深度パラメータ化関数は以下である。
【数１１】
2006175239.tif 000004
【００２９】
及び
【数１２】
2006175239.tif 000005
【００３０】
ただし、Ａ１、Ａ２、Ａ３、Ａ４、Ａ５、Ｂ１、Ｂ２、Ｂ３、Ｂ４及びＢ５はフィッティングパラメータである。パラメータＡ１、Ｂ１は正規化のためのものであり、線量の一次部と散乱部の間に正しい関係を得るために使用される。パラメータ−Ａ２は一次電子の線形減衰係数に類似であり、−Ｂ２は散乱光子のそれである。パラメータ−Ａ３及び−Ｂ３は一次光子の線形減衰係数と見ることができる。
【００３１】
パラメータＡ４及びＢ４はビーム硬化補正を導入する。オリジナルデータと浅い深度に於ける適合データとの不整合のため、２つの目的を持つ補正パラメータＡ５及びＢ５を導入した。それらは後方散乱を導入しビルドアップ領域を僅かに拡大する。この拡張が補正する物理的因子は、深度に対する二次粒子の平均方向の変化である。電子及び散乱光子は、浅い深度では、深い深度においてより前方へと方向づけられる。
【００３２】
Ａ５が導入されると一次部に対する深度パラメータ化関数の形状への影響は制限されるが、散乱部にとってはＢ５に対する変化はかなりなものとなる。パラメータの計算は、パラメータの解釈によって正しい値を得るようにするものではなかった。換言すれば、例えば、「実際の」線形減衰係数に近似するＡ３を得るのに労力を費やすのではなく、関数を表値に適合させるようなパラメータの最良値を見つけるのが目的であった。
【００３３】
数式（２）に於ける式１−ｅｘｐ［−ａ（ｚ）Ｒ］は、半径Ｒの円形フィールドに対する中心軸への一次線量と無限フィールドのそれとの比である。この比は、ビルドアップ領域以外では弱い深度依存に過ぎない。このことは、ａ（ｚ）が弱い深度依存に過ぎないということを意味する。従って、ａは深度の線形関数としてパラメータ化される。
【数１３】
2006175239.tif 000006
【００３４】
ただし、ａ１及びａ２はフィッティングパラメータである。
【００３５】
同様に数式（２）に於ける式１−ｅｘｐ［−ｂ（ｚ）Ｒ］は、半径Ｒの円形フィールドに対する中心軸への散乱線量と無限フィールドのそれとの比として解釈可能である。Ａ／ａ及びＢ／ｂに対するものと同じフィッティング関数がｂに対しても使用可能であることが分かった。
【数１４】
2006175239.tif 000007
【００３６】
ただし、ｂ１、ｂ２、ｂ３、ｂ４及びｂ５はフィッティングパラメータである。
【００３７】
選択した関数のパラメータは、全ての放射線治療システム及びエネルギーに関する前記事前測定放射線ビームデータを含むデータベースから抽出した表データに適合させた。この適合工程はこの目的のために特別に書かれたスクリプトを用いて段階的手順で行われた。パラメータＡ３及びＡ４は高深度での勾配から決定され、Ａ２は適切な位置で最大点を得るように設定され、Ａ１は深度１０ｃｍにおいて正しい値を得るように設定され、Ａ５は表面直下で誤差を最小とするように設定された。
【００３８】
Ｂ３がＡ３に等しく且つＢ４がＡ４に等しく設定されていない場合には、同じ方法をＢ／ｂ及びｂに対して使用した。パラメータａ１及びａ２は、一次部に対するビルドアップ領域下に於ける最小２乗フィッティングを用いて検出した。
【００３９】
電子汚染問題のためモデルは浅い深度での使用を目的としないので、浅い深度に於ける適合曲線とａデータとの不一致（図１）は余り重要ではない。ｂのパラメータ化は、通常治療よりも深い３０ｃｍから４０ｃｍのどこかの深度において不一致が始まる。
【００４０】
１７個の加速器及びエネルギー特有パラメータは明示的には測定できない。このことは、それらのパラメータは何らかの測定可能な量と関連づけなければならないか、或いは、測定値に対する完全なモデルのフィッティングを通じて計算しなければならないという意味である。精度が許すならば、第１の方法は各加速器及びエネルギーに対して大量の測定データを要求しないので好ましい。パラメータは、請求項９に記載のようにビーム品質指数ＴＰＲ２０，１０の多項式関数として高精度に計算可能であると分かった。
【００４１】
多項式関数に於けるパラメータは、モデルとオリジナルなペンシルビームパラメータで計算した深度線量との偏差を最小化するように調整された。
【００４２】
モデルは、異なる深度及びフィールドサイズに対する中心軸に於ける線量と参照点（ＳＳＤ＝９０ｃｍで深度１０ｃｍに於ける１０×１０ｃｍ２フィールド）への線量との比の予測子としてテストした。
【数１５】
2006175239.tif 000008
【００４３】
ただし、ｋ（ｒ，ｚ，ＴＰＲ２０，１０）はＴＰＲ２０，１０依存性を持つ式（１）によるペンシルビームカーネルである。積分範囲Ｒ（ｚ，ｓ）は正方フィールドの一辺長ｓ及び深度の関数として計算される。
【数１６】
2006175239.tif 000009
【００４４】
ただし、定数は正方フィールドとその等価円形フィールドとの関係による。
【００４５】
データセット内に測定値が多数存在するので、臨床測定値とモデルとの予測偏差を信頼性高く推定することが可能となった。図２、３、４は平均偏差を提示しており、平均偏差を取り囲んでいるのは、加速器の５０％及び９０％の範囲を定める表示である。加速器はそれぞれのＴＰＲ２０，１０比によって５つの群に分類される。
【００４６】
Ｉ      極低エネルギー  −  ＴＰＲ２０，１０＝［０．６１，０．６４５］
ＩＩ    低エネルギー  −  ＴＰＲ２０，１０＝［０．６４５，０．６８２］
ＩＩＩ  中エネルギー  −  ＴＰＲ２０，１０＝［０．６８２，０．７４４］
ＩＶ    高エネルギー  −  ＴＰＲ２０，１０＝［０．７４４，０．７７２］
Ｖ      極高エネルギー  −  ＴＰＲ２０，１０＝［０．７７２，０．８１］
図２、３、４においてモデルとデータとの系統的偏差は誤差中央値によって視覚化可能であるが、ランダム誤差は同一プロットに於ける５０％及び９０％信頼区間の幅によって視覚化可能である。どちらの種類の誤差も測定値及びモデル自身の両方に由来することができる。測定データは、異なる研究者によって独立に、且つ、変化する装置を用いて得られたものなので、そのデータに於ける系統的誤差がここでの議論ではこれ以上考察しない。
【００４７】
電子汚染に対するモデル化の欠如は、高エネルギーにおいて浅い深度に対して線量を過小評価する原因となるのに対して、形状制限は実際上１０×１０ｃｍ２以外のフィールドサイズ全てに対して最大１％だけファントム散乱係数を僅かに過大評価する原因となる可能性がある。この影響は全エネルギーに対して存在するが、最低エネルギーに対して最も大きなものとなる。
【００４８】
本装置は、同じＴＰＲ２０，１０を持つ２つのビーム間の線量分布の差は小さいという想定に基づく。誤差プロットの解析はこの想定が真であることを示す。信頼区間の幅は、同じＴＰＲ２０，１０を持つ加速器間の個体性及び測定値に於けるランダムな誤差の両方に由来する。線量データは３つの異なる測定値、即ち、深度線量、水中での出力率及び空気中での出力率に由来する。これらの測定値は全て、測定データのランダム誤差に寄与する。
【００４９】
深度線量誤差の大きさは、１０×１０ｃｍ２フィールドに対する誤差プロットから推定できる（図２ｂ、３ｂ、４ａ〜ｃ）。プロットは深度１０ｃｍを中心とする小区間において正規化され、この区間を中心とする信頼区間の幅は主としてランダム誤差によるものである。この幅を差し引くと、深度線量に対する加速器の個体性はパーセントの１０分の１という大きさを持つ（ただし浅い深度及び極低エネルギーを除く）と結論できる。１０×１０ｃｍフィールドの直ぐ近くには利用可能な測定値が存在しないので、フィールドサイズ依存性に於ける個体性の程度の結論を引き出すのは、より難しいものとなる。
【００５０】
しかし、５×５ｃｍ２、１５×１５ｃｍ２及び２０×２０ｃｍ２フィールドに対する信頼区間幅がそれらのフィールドの違いほどには違わないという事実は、測定値に於けるランダムな誤差がプロットに於ける拡がりの主因となるということを示す。浅い深度及び極低エネルギーの場合にはＴＰＲ２０，１０は線量計算パラメータの予測子として低品質であると結論することもできる。このような場合、計算線量と計測線量とのランダムな偏差の明瞭な深度依存性が見られるが、浅い深度での深度線量測定値に於ける電子汚染の影響や増大するランダムな誤差の影響も考慮しなければならない。浅い深度側面に対するビーム品質パラメータとしてのＴＰＲ２０，１０を上では別の文脈において論じてきた。
【００５１】
図４ａから、測定値からの偏差として系統的偏差とランダムな偏差の両方を示す極低エネルギーにおいてモデルの精度は低くなると思われる。注意すべきことは、極低エネルギー群に於ける加速器数は他群よりずっと小さく、少なくとも９０％信頼区間は信頼するには少なすぎる加速器数に基づいている。
【００５２】
絶対値が線形減衰係数に近いμ（請求項８参照）で全てのパラメータが表現されるので、本モデルの設計では様々なビーム品質仕様が可能となる。μを調整してフィールド内の位置の関数とすれば、軸外し軟化又は金属ウェッジによるビーム硬化に対して一次補正を行うことができる。
【００５３】
驚いたことに、本発明の方法を使用すると、ＴＰＲ２０，１０が電子汚染の範囲より深い深度に於ける線量計算パラメータの予測子として有用となることが分かった。
【００５４】
本発明の方法と装置によるパラメータ化した深度依存性を持つペンシルビームモデルは、最新放射線療法のモニターユニット検証手段としての要件を満たす。積分アルゴリズムを用いた計算ソフトウェアによって、中心軸線量は、ある制限内に於ける任意のフィールド形状及び深度に対して２％の精度（ヘッド散乱を無視する）で計算可能となる。
【００５５】
本発明の方法は、５×５ｃｍ２から２０×２０ｃｍ２のフィールドサイズでテストされる。深度は電子汚染の範囲より深くなければならない。殆どの場合、誤差はより小さくなる。所与のモニターユニット数の信頼性及び線量の信頼性は、その結果と共に提示可能となる。この品質は、臨床作業において、検証以外の場合にも有用となり得る。
【図面の簡単な説明】
【００５６】
【図１】オリジナルの集計ペンシルビームパラメータと、任意選択した１０ＭＶ加速器に対して式番号３、４、５、６から計算されたパラメータとの比較である。
【図２】１０×１０ｃｍ２フィールドにおいて１０ｃｍを中心とする小区間に正規化された誤差のプロットで、主として５及び６ＭＶビームの低エネルギー（２１０加速器）の場合の誤差プロットである。
【図３】１０×１０ｃｍ２フィールドにおいて１０ｃｍを中心とする小区間に正規化された誤差のプロットで、主として１５〜１８ＭＶビームの高エネルギー（１３８加速器）の場合の誤差プロットである。
【図４】１０×１０ｃｍ２フィールドにおいて深度１０ｃｍを中心とする小区間に正規化された誤差のプロットで、極低エネルギー（３〜５ＭＶ、２５加速器）、中エネルギー（８〜１０ＭＶ、１７３加速器）及び極高エネルギー（１８〜２５ＭＶ、８８加速器）の場合の誤差プロットである。
【図１】
2006175239.tif 000018
【図２】
2006175239.tif 000019
【図３】
2006175239.tif 000020
【図４】
2006175239.tif 000021